(57)【要約】      （修正有）【課題】  木炭を用いて室内の空気を清浄化させる方法においては、長期間使用した場合であっても木炭の効力を持続させることができるようにし、該木炭を室内から一般的に見えない場所である床下を用いるようにする。【解決手段】  室内５と床下６とを通気路９で接続し、該通気路を介して床下の空気を室内に循環させる室内空気清浄化システムであって、前記床下に木炭粉末を含有した塗料を塗布して塗布層７を形成し、該塗布層に地中に埋設した接地電極８を接続し、該床下の清浄化された空気を通気路を介して室内に循環させることにより、木炭粉末を含有した塗料を床下に塗布し、該床下に地中に埋設した接地電極８を接続して木炭粉末の電気的なバランスを調整して木炭の効力を維持させ、長期間使用した場合であっても木炭の効力が持続される。【選択図】図１
2006070535.tif 000002
【特許請求の範囲】
【請求項１】
室内と床下とを通気路で接続し、該通気路を介して床下の空気を室内に循環させる室内空気清浄化システムであって、
前記床下に木炭粉末を含有した塗料を塗布して塗布層を形成し、
該塗布層に地中に埋設した接地電極を接続し、
該床下の清浄化された空気を通気路を介して室内に循環させること
を特徴とする室内空気清浄化方法。
【請求項２】
前記通気路には、換気ユニットを設けて床下の空気と室内の空気とを強制的に循環させること
を特徴とする請求項１に記載の室内空気清浄化方法。
【請求項３】
前記塗布層は、床下の壁面もしくは天面のいずれか一方または両方に設けること
を特徴とする請求項１に記載の室内空気清浄化方法。
【請求項４】
前記塗布層には、電源供給装置を接続させたこと
を特徴とする請求項１または３のいずれかに記載の室内空気清浄化方法。
【請求項５】
前記木炭粉末を含有した塗料は、
ナイロン６と、ナイロン６６と、ナイロン１２と、ナイロン６１０とからなる高融点型ナイロン樹脂、ナイロン６と、ナイロン６６と、ナイロン１２とからなる低融点型ナイロン樹脂またはナイロン６と、ナイロン６６と、ナイロン１２とからなる高融点型ナイロン樹脂と、これらのナイロン樹脂の溶剤と、木炭粉末とを含有した塗料組成物であること
を特徴とする請求項１に記載の室内空気清浄化方法。
【請求項６】
床下の通気路には、既知の床下暖房ユニットを組み合わせることで室内の冷えて汚れた空気を床下で暖かく清浄な空気にすること
を特徴とする請求項１乃至５のいずれかに記載の室内空気清浄化方法。
【請求項７】
防蟻性を付与した木炭塗料などを用いた床下配置にすることで防蟻性を確保しつつ居室の空気を清浄に保つこと
を特徴とする請求項１乃至６のいずれかに記載の室内空気清浄化方法。
【発明の詳細な説明】
【技術分野】
【０００１】
本発明は、床下に塗布した木炭粉末を含有した塗料により床下の空気を清浄化させ、該清浄化された床下の空気と室内の空気とを循環させることにより室内の空気を清浄化させる室内空気清浄化方法に関するものである。
【背景技術】
【０００２】
従来より、木炭を用いることにより環境を改善させる技術がある。木炭は、多孔質であるため、その多数形成されている孔に前記ホルムアルデヒド等の揮発性有機化合物が吸着されて、例えば、室内の環境が改善されるようになるというものである。
【０００３】
この木炭を住宅に用いたものとしては、例えば、基礎構造部と、居住空間部と、外装部と、屋根構造部とを有する木造住宅において、前記基礎構造部には鉄筋コンクリート基礎と床下ダンパーが設けられ木炭が床下全面に敷炭されており、ファンを有する木炭シルター室が設けられており、前記居住空間部には、前記木炭シルター室を通り前記ファンを介して空気が供給される開口が設けてあり、前記屋根構造部には前記居住空間部からの空気の流路と内部排気用の屋切ダンパーが設けられており、前記基礎構造部から入った空気を、前記居住空間部に導き、前記屋根構造部より排出する内部空気流路と、前記居住空間部の空気圧力を外部に対して高圧に保持する圧力調整手段とを有する木造住宅がある（特許文献１参照）。
【０００４】
この特許文献１の公知技術においては、室内から一般的に見えない場所である床下全面に袋入木炭を敷炭として充填させたものであり、床下ダンパーから床下に入った空気が敷炭により清浄化され、ファンにより木炭シルター壁を通過して更に清浄化されたのち居住空間部内に供給されるというものである。
【０００５】
【特許文献１】特開２００２−１２１８３０号公報
【発明の開示】
【発明が解決しようとする課題】
【０００６】
しかしながら、前記特許文献１の公知技術においては、実質的に木炭そのものを床下に配設させただけであるため、継時的に木炭に形成された孔にホルムアルデヒド等の揮発性有機化合物が吸着されてその効力が低下するため、長期間持続的に利用することが困難であるという問題点を有している。
【０００７】
従って、従来の木炭を用いて室内の空気を清浄化させる方法においては、長期間使用した場合であっても木炭の効力を持続させることができるようにし、該木炭を室内から一般的に見えない場所である床下を用いるようにするということに解決しなければならない課題を有している。
【課題を解決するための手段】
【０００８】
上記した従来例の課題を解決する具体的手段として本発明に係る室内空気清浄化方法は、室内と床下とを通気路で接続し、該通気路を介して床下の空気を室内に循環させる室内空気清浄化システムであって、前記床下に木炭粉末を含有した塗料を塗布して塗布層を形成し、該塗布層に地中に埋設した接地電極を接続し、該床下の清浄化された空気を通気路を介して室内に循環させることを最も主要な特徴とする。
【０００９】
この発明において、前記通気路には、換気ユニットを設けて床下の空気と室内の空気とを強制的に循環させること；前記塗布層は、床下の壁面もしくは天面のいずれか一方または両方に設けること；前記塗布層には、電源供給装置を接続させたこと；前記木炭粉末を含有した塗料は、ナイロン６と、ナイロン６６と、ナイロン１２と、ナイロン６１０とからなる高融点型ナイロン樹脂、ナイロン６と、ナイロン６６と、ナイロン１２とからなる低融点型ナイロン樹脂またはナイロン６と、ナイロン６６と、ナイロン１２とからなる高融点型ナイロン樹脂と、これらのナイロン樹脂の溶剤と、木炭粉末とを含有した塗料組成物であること；床下の通気路には、既知の床下暖房ユニットを組み合わせることで室内の冷えて汚れた空気を床下で暖かく清浄な空気にすること；防蟻性を付与した木炭塗料などを用いた床下配置にすることで防蟻性を確保しつつ居室の空気を清浄に保つこと；を付加的な要件として含むものである。
【発明の効果】
【００１０】
本発明に係る室内空気清浄化方法は、室内と床下とを通気路で接続し、該通気路を介して床下の空気を室内に循環させる室内空気清浄化システムであって、前記床下に木炭粉末を含有した塗料を塗布して塗布層を形成し、該塗布層に地中に埋設した接地電極を接続し、該床下の清浄化された空気を通気路を介して室内に循環させることにより、木炭粉末を含有した塗料を床下に塗布し、該床下に地中に埋設した接地電極を接続して木炭粉末の電気的なバランスを調整して木炭の効力を維持させ、長期間使用した場合であっても木炭の効力が持続されるようにするという優れた効果を奏する。
【発明を実施するための最良の形態】
【００１１】
次に、本発明を具体的な実施の形態に基づいて詳しく説明する。
本発明の第１の実施の形態に係る室内空気清浄化方法を図１に示した一実施例を用いて説明する。図１は、室内空気清浄化方法の一実施例として、例えば、室内空気清浄化方法を用いた住宅１を略示的に示した断面図である。
【００１２】
この図１において、２は外装壁、３は屋根部、４ａは屋根仕切部、４ｂは階層仕切部、４ｃは床仕切部、５は室内、６は床下を示している。
【００１３】
床下６における、例えば、床下６の壁面６ａもしくは天面６ｂのいずれか一方または両方には、木炭粉末を含有した塗料を塗布した塗布層７を設け、該塗布層７には、地中に埋設させた接地電極８を接続させている。
【００１４】
この塗布層７に塗布する木炭粉末を含有した塗料としては、木炭粉末を含有した塗料であればいずれのものを使用しても良いが、例えば、特開第３１３３９６２号公報に開示された技術であるナイロン６と、ナイロン６６と、ナイロン１２と、ナイロン６１０とからなる高融点型ナイロン樹脂、ナイロン６と、ナイロン６６と、ナイロン１２とからなる低融点型ナイロン樹脂またはナイロン６と、ナイロン６６と、ナイロン１２とからなる高融点型ナイロン樹脂と、これらのナイロン樹脂の溶剤と、木炭粉末とを含有した塗料組成物である、ヘルスコート（登録商標：アーテック工房（株）社製）等を使用することが好ましい。
【００１５】
また、接地電極８としては、例えば、棒状または板状等の金属を使用することができるが、ステンレス等の腐食の少ない金属を有底筒体に形成し、その内部に木炭の粉末と、触媒とを混合して収納させたものを使用することが好ましい。
【００１６】
このように、床下６に木炭粉末を含有した塗料を塗布した塗布層７を設けることにより、前記床下６の空気に含まれるホルムアルデヒド等の揮発性有機化合物が前記木炭粉末に形成された多数の孔に吸着されるため、前記床下６の空気質・環境が改善されるようになる。この際、木炭粉末を用いているため、木炭自体として用いる場合よりも木炭に形成された多数の孔の面積が広くなるため、木炭粉末を用いる場合には、木炭自体を用いる場合よりも少量であっても効率良く床下６の空気質・環境が改善できる。
【００１７】
更に、床下６の木炭粉末を含有した塗料を塗布した塗布層７には、地中に埋設させた接地電極８を接続させているため、木炭粉末の電気的なバランスが調整されて木炭の効力が長時間持続され、床下６の空気質・環境が改善された状態を長時間維持できるようになるのである。
【００１８】
室内５と床下６とは、通気路９を介して接続されており、該通気路９を介して各室内５の空気と床下６の空気とが自然に循環されるようになっている。この通気路９は、供給用通気路９ａと、排出用通気路９ｂとを別々に設けることが好ましく、このように供給用通気路９ａと、排出用通気路９ｂとを別々に設けることにより、床下６の空気を各室内５に効率よく循環させることができるようになる。この通気路９は、室内５に設けても良いが、外装壁２内等に設けることが好ましく、また、例えば、床仕切部４ｃに図示していない孔部等を形成するだけであっても良い。
【００１９】
このように、通気路９を介して室内５と床下６とを接続させることにより、該床下６に塗布された木炭粉末を含有した塗料により改善されて清浄化された空気が、床下６から通気路９を介して室内５に循環されて該室内５の空気が清浄化されるようになるのである。そして、該室内５で汚れた空気は、通気路９を介して室内５から床下６に循環し、再度、該床下６で清浄化されるため、室内５の空気を常に清浄化された状態に維持できるのである。
【００２０】
また、通気路９には、例えば、屋根部３内や床下６等に換気ユニット１０を設けて、床下の空気と室内の空気とを強制的に循環させるようにすることが好ましい。この換気ユニット１０としては、例えば、ファン等を用いることができる。更に、通気路９には、フィルター１１を設けても良い。
【００２１】
更に、床下６の木炭粉末を含有した塗料を塗布した塗布層７には、電源供給装置１２を接続させ、塗布層７に弱電流を流すことにより木炭粉末を活性化させ、木炭の効力を長時間持続させるようにしても良い。
【００２２】
（試験例１）
この試験例１においては、床下の環境を擬似的に再現するために、試験対象ガスとして、ホルムアルデヒドを試験容器に封入させ、該試験容器内における試験対象ガスの濃度と、減衰率の変化について測定を行った。
【００２３】
試験容器としては、アクリル板を用いて２００×２００×５００ｍｍの大きさの試験容器を作製し、該試験容器の側対面に、試験対象ガスの流入口と、該試験対象ガスの放出口とを設け、また、合板を用いて２００×５００ｍｍの大きさの上蓋を作製した。試験対象ガス（ホルムアルデヒド）の濃度の測定は、ガス検知管（（株）ガステック社製：９１Ｌ及び９１ＬＬ）を用いて測定した。
【００２４】
この試験容器を４セット用意し、これをコントロール（試験容器内に木炭粉末を含有した塗料を塗布しないもの）と、塗料塗布環境（試験容器内に木炭粉末を含有した塗料（ヘルスコート）を塗布して塗布層を形成させたもの）と、接地環境（試験容器内に木炭粉末を含有した塗料（ヘルスコート）を塗布して塗布層を形成し、該塗布層に接地電極を接続させたもの）と、通電環境（試験容器内に木炭粉末を含有した塗料（ヘルスコート）を塗布して塗布層を形成し、該塗布層に接地電極と電源供給装置とを接続させて通電させたもの）ととして用いた。
【００２５】
この木炭粉末を含有した塗料（ヘルスコート）を塗布して形成した塗布層としては、試験容器内に２ｍ２／ｍ３（５００×８０ｍｍ（４０００ｍｍ２））の塗布面積で、３００ｇ／ｍ２の塗布量で、５日間自然乾燥させた。
【００２６】
試験方法としては、まずポリエチレン製ポリ袋にホルムアルデヒド液を注入し、ホルムアルデヒド液が目視にて蒸散されたのを確認して前記ポリ袋内の試験対象ガスの濃度を測定する。この１回目の試験対象ガスの濃度測定から１時間放置した後、再度ポリ袋内の試験対象ガスの濃度を測定し、該試験対象ガスの濃度が安定（濃度の変動が無い場合）していれば、それを試験対象ガスとして用いる。試験対象ガスの濃度が安定していない場合には、更に１時間放置し、これを試験対象ガスの濃度が安定するまで行った。
【００２７】
次に、コントロール（比較例１）と、塗料塗布環境（比較例２）と、接地環境（実施例１）と、通電環境（実施例２）とのそれぞれの試験容器内に清浄空気を封入させておき、これら試験容器の試験対象ガスの流入口に、試験対象ガス（ホルムアルデヒド）の濃度が安定したポリエチレン製ポリ袋を配設し、１５０〜１８０ｍｌ／ｍｉｎの流速で試験対象ガスを試験容器内に流入させ、３０分毎に試験容器内における試験対象ガスの濃度の測定を行った。
【００２８】
この試験例１において、試験容器内における試験対象ガスの濃度（ｐｐｍ）と、減衰率（％）の変化について測定を行った結果を表１に示す。
【００２９】
【表１】
2006070535.tif 000003
【００３０】
この表１から明らかなように、比較例１としてのコントロールと、比較例２としての塗料塗布環境と比較して、実施例１としての接地環境と、実施例２としての通電環境とは、減衰率（％）が高く、試験対象ガスの濃度を低減できることが理解できる。なお、コントロールにおいて、測定開始時から一時的に試験対象ガスの濃度が低減し、減衰率（％）が上昇しているのは、合板を用いて作製した上蓋に試験対象ガスの一部が吸収されたためであると推察される。
【００３１】
更に、本発明に係る第２の実施の形態を図２を用いて説明する。なお、この第２の実施の形態については、床下６の壁面６ａと基礎構造部６ｃとに防蟻性を付与した木炭塗料を塗布した以外のその他の基本的な構成については、前記第１の実施の形態と同一であるので、前記第１の実施の形態と同一のものについては、前記第１の実施の形態と同一の符号を付し、その具体的な構成については、説明を省略する。
【００３２】
図２に、室内空気清浄化方法を用いた住宅２１の略示的な断面図を示してある。この住宅２１においては、床下６の天面６ｂには、木炭粉末を含有した塗料としてヘルスコート（登録商標：アーテック工房（株）社製）等を塗布して塗布層７を形成し、床下６の壁面６ａと基礎構造部６ｃとには、防蟻性を有する木炭粉末を含有した塗料としてヘルスコ・キュアー（登録商標：アーテック工房（株）社製）等を塗布して塗布層７ａを形成したものである。
【００３３】
このように、床下６の壁面６ａと基礎構造部６ｃとに防蟻性を有する木炭粉末を含有した塗料７ａを塗布して防蟻性を付与した木炭塗料などを用いた床下配置にすることにより、床下６における防蟻性を確保しつつ居室の空気を清浄に保つことができるようになるのである。
【００３４】
本発明に係る第３の実施の形態を図３を用いて説明する。なお、この第３の実施の形態については、床下６の通気路９に既知の床下暖房ユニットを組み合わせたものであり、その他の基本的な構成については、前記第１の実施の形態及び第２の実施の形態と同一であるので、前記第１の実施の形態及び第２の実施の形態と同一のものについては、前記第１の実施の形態及び第２の実施の形態と同一の符号を付し、その具体的な構成については、説明を省略する。
【００３５】
図３に、室内空気清浄化方法を用いた住宅３１の略示的な断面図を示してある。この住宅３１においては、床下６の通気路９に既知の床下暖房ユニット３２を配設して組み合わせたものである。
【００３６】
このように、床下６の通気路９に既知の床下暖房ユニット３２を配設し、前記第１の実施の形態及び第２の実施の形態と組み合わせることにより、室内５の冷えて汚れた空気が床下６の通気路９に組み合わせた既知の床下暖房ユニット３２を介して循環されるため、前記室内５に流入させる空気を暖かく清浄な空気にすることができるようになる。
【図面の簡単な説明】
【００３７】
【図１】本発明の第１の実施の形態に係る室内空気清浄化方法の一実施例を説明するための住宅を略示的に示した断面図である。
【図２】本発明の第２の実施の形態に係る室内空気清浄化方法を説明するための住宅を略示的に示した断面図であり、床下に防蟻性を有する木炭粉末を含有した塗料を塗布したものである。
【図３】本発明の第３の実施の形態に係る室内空気清浄化方法の一実施例を説明するための住宅を略示的に示した断面図であり、既知の床下暖房ユニットを設けたものである。
【符号の説明】
【００３８】
１、２１、３１  住宅
２  外装壁
３  屋根部
４ａ  屋根仕切部
４ｂ  階層仕切部
４ｃ  床仕切部
５  室内
６  床下
６ａ  壁面
６ｂ  天面
６ｃ  基礎構造部
７  木炭粉末を含有した塗料を塗布した塗布層
７ａ  防蟻性を有する木炭粉末を含有した塗料を塗布した塗布層
８  接地電極
９  通気路
９ａ  供給用通気路
９ｂ  排出用通気路
１０  換気ユニット
１２  電源供給装置
３２  床下暖房ユニット
【図１】
2006070535.tif 000004
【図２】
2006070535.tif 000005
【図３】
2006070535.tif 000006